【手続補正書】
【提出日】平成20年5月16日(2008.5.16)
【手続補正１】
【補正対象書類名】特許請求の範囲
【補正対象項目名】全文
【補正方法】変更
【補正の内容】
【特許請求の範囲】
【請求項１】
結合水を含有する鉱石を加熱し、結合水を水蒸気として脱水させることによって、多孔質化した特定の元素の酸化物を含有する多孔質鉱石に、有機化合物を含む有機液体又は有機ガスを接触させることによって、有機化合物を前記多孔質鉱石に付着させること
を特徴とする鉱石処理方法。
【請求項２】
有機物を乾溜することによって前記有機ガスを製造すること
を特徴とする請求項１に記載の鉱石処理方法。
【請求項３】
有機化合物を付着させた前記多孔質鉱石を５００℃以上の温度範囲で加熱することによって、前記多孔質鉱石が含有する酸化物を還元させること
を特徴とする請求項１または２に記載の鉱石処理方法。
【請求項４】
前記多孔質鉱石は鉄の酸化物を含有してなること
を特徴とする請求項１乃至３のいずれか一つに記載の鉱石処理方法。
【請求項５】
前記多孔質鉱石は、Ａｌ，Ｓｉ，Ｔｉ，Ｃｒ，Ｍｎ，Ｎｉ，Ｐｂ，Ｗ，Ｖ，Ｎｂ，Ｍｏの内で少なくとも一つの元素の酸化物を含有してなること
を特徴とする請求項１乃至３のいずれか一つに記載の鉱石処理方法。
【請求項６】
有機物を乾溜する手段と、
該手段によって得られる乾溜ガスを、結合水を含有する鉱石を加熱し、結合水を水蒸気として脱水させることによって、多孔質化した特定の元素の酸化物を含有する多孔質鉱石に接触させる手段と
を備えることを特徴とする鉱石処理装置。
【請求項７】
高炉を用いて銑鉄を製造する製鉄方法において、
請求項４に記載の鉱石処理方法で処理した多孔質鉱石を、送風羽口から高炉内へ吹き込むこと
を特徴とする製鉄方法。
【請求項８】
製鉄炉及び／又は製鋼炉を用いた製鉄・製鋼方法において、
請求項４に記載の鉱石処理方法で処理した多孔質鉱石を原料として製鉄・製鋼用の焼結鉱又はペレットを製造し、
製造した焼結鉱又はペレットを製鉄・製鋼用の原料として製鉄炉及び／又は製鋼炉へ投入すること
を特徴とする製鉄・製鋼方法。
【手続補正２】
【補正対象書類名】明細書
【補正対象項目名】００１０
【補正方法】変更
【補正の内容】
【００１０】
本発明に係る鉱石処理方法は、結合水を含有する鉱石を加熱し、結合水を水蒸気として脱水させることによって、多孔質化した特定の元素の酸化物を含有する多孔質鉱石に、有機化合物を含む有機液体又は有機ガスを接触させることによって、有機化合物を前記多孔質鉱石に付着させることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
本発明に係る鉱石処理方法は、有機物を乾溜することによって前記有機ガスを製造することを特徴とする。
【手続補正５】
【補正対象書類名】明細書
【補正対象項目名】００１３
【補正方法】変更
【補正の内容】
【００１３】
本発明に係る鉱石処理方法は、有機化合物を付着させた前記多孔質鉱石を５００℃以上の温度範囲で加熱することによって、前記多孔質鉱石が含有する酸化物を還元させることを特徴とする。
【手続補正６】
【補正対象書類名】明細書
【補正対象項目名】００１４
【補正方法】変更
【補正の内容】
【００１４】
本発明に係る鉱石処理方法は、前記多孔質鉱石は鉄の酸化物を含有してなることを特徴とする。
【手続補正７】
【補正対象書類名】明細書
【補正対象項目名】００１５
【補正方法】変更
【補正の内容】
【００１５】
本発明に係る鉱石処理方法は、前記多孔質鉱石は、Ａｌ，Ｓｉ，Ｔｉ，Ｃｒ，Ｍｎ，Ｎｉ，Ｐｂ，Ｗ，Ｖ，Ｎｂ，Ｍｏの内で少なくとも一つの元素の酸化物を含有してなることを特徴とする。
【手続補正８】
【補正対象書類名】明細書
【補正対象項目名】００１６
【補正方法】変更
【補正の内容】
【００１６】
本発明に係る鉱石処理装置は、有機物を乾溜する手段と、該手段によって得られる乾溜ガスを、結合水を含有する鉱石を加熱し、結合水を水蒸気として脱水させることによって、多孔質化した特定の元素の酸化物を含有する多孔質鉱石に接触させる手段とを備えることを特徴とする。
【手続補正９】
【補正対象書類名】明細書
【補正対象項目名】００１７
【補正方法】変更
【補正の内容】
【００１７】
本発明に係る製鉄方法は、高炉を用いて銑鉄を製造する製鉄方法において、上述の鉱石処理方法で処理した多孔質鉱石を、送風羽口から高炉内へ吹き込むことを特徴とする。
【手続補正１０】
【補正対象書類名】明細書
【補正対象項目名】００１８
【補正方法】変更
【補正の内容】
【００１８】
本発明に係る製鉄・製鋼方法は、製鉄炉及び／又は製鋼炉を用いた製鉄・製鋼方法において、上述の鉱石処理方法で処理した多孔質鉱石を原料として製鉄・製鋼用の焼結鉱又はペレットを製造し、製造した焼結鉱又はペレットを製鉄・製鋼用の原料として製鉄炉及び／又は製鋼炉へ投入することを特徴とする。
【手続補正１１】
【補正対象書類名】明細書
【補正対象項目名】００１９
【補正方法】変更
【補正の内容】
【００１９】
本発明においては、特定の有用元素の酸化物を含有する多孔質鉱石に、液状の有機化合物を含むコールタール等の有機液体、又はタール等の気化した有機化合物を含む有機ガスを接触させることにより、多孔質鉱石の細孔内を含む表面に接触した有機化合物が反応し、多孔質鉱石の表面に有機化合物が付着する。
【手続補正１２】
【補正対象書類名】明細書
【補正対象項目名】００２０
【補正方法】変更
【補正の内容】
【００２０】
本発明においては、結晶水等の結合水を含有する鉱石を加熱することにより、結合水が水蒸気となって脱水し、鉱石内部から外部へ脱水した水蒸気の経路が細孔となり、鉱石を多孔質化した多孔質鉱石が生成される。
【手続補正１３】
【補正対象書類名】明細書
【補正対象項目名】００２１
【補正方法】変更
【補正の内容】
【００２１】
本発明においては、有機質の廃棄物又はバイオマス資源等の有機物を乾溜することにより、タール等の気化した有機化合物を含む有機ガスが発生し、多孔質鉱石に有機化合物が付着される。
【手続補正１４】
【補正対象書類名】明細書
【補正対象項目名】００２２
【補正方法】変更
【補正の内容】
【００２２】
本発明においては、タール等の有機化合物を付着させた多孔質鉱石を５００℃以上の温度範囲で加熱することにより、互いに密接に近接している鉱石に含まれる酸化物と有機化合物に含まれる炭素との間で還元反応が生起し、酸化物が還元される。
【手続補正１５】
【補正対象書類名】明細書
【補正対象項目名】００２３
【補正方法】変更
【補正の内容】
【００２３】
本発明においては、多孔質鉱石は酸化鉄を含有する鉱石であり、処理後の多孔質鉱石を焼結鉱又はペレットに加工して、製鉄・製鋼用の原料に利用することができる。
【手続補正１６】
【補正対象書類名】明細書
【補正対象項目名】００２４
【補正方法】変更
【補正の内容】
【００２４】
本発明においては、多孔質鉱石は、有用元素としてＡｌ，Ｓｉ，Ｔｉ，Ｃｒ，Ｍｎ，Ｎｉ，Ｐｂ，Ｗ，Ｖ，Ｎｂ，Ｍｏの内で少なくとも一つの元素の酸化物を含有する鉱石であり、これらの有用元素の製錬の原料に利用することができる。
【手続補正１７】
【補正対象書類名】明細書
【補正対象項目名】００２５
【補正方法】変更
【補正の内容】
【００２５】
本発明においては、タール等の有機化合物を付着させた多孔質鉱石は、高炉の送風羽口から吹き込むことにより、有機化合物に含まれる炭素が高炉内で還元剤として作用する。
【手続補正１８】
【補正対象書類名】明細書
【補正対象項目名】００２６
【補正方法】変更
【補正の内容】
【００２６】
本発明にあっては、特定の有用元素の酸化物を含有する多孔質鉱石にタール等の有機化合物が付着することにより、鉱石に含まれる酸化物と有機化合物に含まれる炭素とが密接に近接しているので、鉱石に含まれる酸化物をより容易に還元することが可能となり、脈石成分を多く含む低品質の鉱石であっても製錬用の原料としてより利用しやすいように改良することが可能となる。
【手続補正１９】
【補正対象書類名】明細書
【補正対象項目名】００２７
【補正方法】変更
【補正の内容】
【００２７】
本発明にあっては、結晶水等の結合水を含有する鉱石を多孔質化した多孔質鉱石を生成し、更にタール等の有機化合物を付着させた多孔質鉱石を生成することができるので、結合水を含有する低品質の鉱石であっても製錬用の原料としてより利用しやすいように改良することが可能となる。
【手続補正２０】
【補正対象書類名】明細書
【補正対象項目名】００２８
【補正方法】変更
【補正の内容】
【００２８】
本発明にあっては、有機物を乾溜した乾溜ガスに含まれるタール等の有機化合物を多孔質鉱石に付着させることにより、有機物を有効利用することができる。特に、有機物として有機質の廃棄物又はバイオマス資源を利用した場合は、製鉄等の有用元素の製錬の過程で必要な化石資源の消費を抑制することが可能となる。
【手続補正２１】
【補正対象書類名】明細書
【補正対象項目名】００２９
【補正方法】変更
【補正の内容】
【００２９】
本発明にあっては、タール等の有機化合物を付着させた多孔質鉱石を５００℃以上に加熱することによって鉱石に含まれる酸化物を部分的に容易に還元できるので、低品質の鉱石であっても、製錬時に酸化物を還元するために必要なエネルギー及び還元剤の消費量を削減することができるように改良することが可能となる。
【手続補正２２】
【補正対象書類名】明細書
【補正対象項目名】００３０
【補正方法】変更
【補正の内容】
【００３０】
本発明にあっては、本発明の鉱石処理方法で還元した多孔質鉱石を製鉄・製鋼の原料として利用することにより、鉱石を還元して銑鉄又は鋼を製造するために必要なエネルギー及び還元剤の消費量を削減することができる。また、本発明の鉱石処理方法でタール等の有機化合物を付着させた多孔質鉱石を製鉄・製鋼の原料として利用することにより、酸化鉄が容易に還元され、鉱石を還元して銑鉄・鋼を製造するために必要なエネルギー及び還元剤の消費量を削減することができる。
【手続補正２３】
【補正対象書類名】明細書
【補正対象項目名】００３１
【補正方法】変更
【補正の内容】
【００３１】
本発明にあっては、有用元素であるＡｌ，Ｓｉ，Ｔｉ，Ｃｒ，Ｍｎ，Ｎｉ，Ｐｂ，Ｗ，Ｖ，Ｎｂ，Ｍｏ等の酸化物を含む鉱石を本発明の鉱石処理方法で処理し、Ａｌ，Ｓｉ，Ｔｉ，Ｃｒ，Ｍｎ，Ｎｉ，Ｐｂ，Ｗ，Ｖ，Ｎｂ，Ｍｏ等の製錬時に処理後の鉱石を原料として利用することにより、製錬に必要なエネルギー及び還元剤の消費量を削減することが可能となる。
【手続補正２４】
【補正対象書類名】明細書
【補正対象項目名】００３２
【補正方法】変更
【補正の内容】
【００３２】
本発明にあっては、多孔質鉱石に付着したタール等の有機化合物に含まれる炭素が還元剤として作用するので、高炉を用いた製鉄の過程で利用するコークス又は微粉炭等の還元剤の消費量を削減することができる等、本発明は優れた効果を奏する。